【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
無線ネットワーク（２００）の基地局（２１０）において、前記無線ネットワークのユーザ装置にダウンロード（ＤＬ）データを送信するための方法であって、
複数の制御信号を前記基地局（２１０）から前記ユーザ装置（２２０）へ提供するために使用される１つ以上のアンカー・キャリヤであって、第１のキャリヤを含む前記１つ以上のアンカー・キャリヤでコネクションを確立するステップ（Ａ４１０）と、
前記ユーザ装置（２２０）を宛先とする前記ＤＬデータを第２のキャリヤで追加として転送すべきか否かを判定するステップ（Ａ４２０）と、
前記第２のキャリヤを追加として使用すべきであると判定されると、前記第１及び第２のキャリヤで前記ＤＬデータを送信するステップ（Ａ４３０）と
を含み、
前記第１のキャリヤにおける送信と第２のキャリヤにおける送信との間に、所定の遅延時間が存在し、
前記第１及び第２のキャリヤで前記ＤＬデータを送信する前記ステップ（Ａ４３０）は、前記第１及び第２のキャリヤで前記ＤＬデータを送信することを前記ユーザ装置（２２０）に通知するステップ（Ａ５２０）を含み、
前記ユーザ装置（２２０）に通知する前記ステップ（Ａ５２０）は、前記第２のキャリヤに関する情報を、前記第１のキャリヤで提供するステップ（Ａ６１０）を含む
ことを特徴とする方法。
【請求項２】
前記第２のキャリヤは、前記１つ以上のアンカー・キャリヤのうちの１つではないことを特徴とする請求項１に記載の方法。
【請求項３】
前記所定の遅延時間は、前記ユーザ装置（２２０）が前記第２のキャリヤで受信する準備を行うのに十分な時間であることを特徴とする請求項１に記載の方法。
【請求項４】
前記ユーザ装置（２２０）に通知する前記ステップ（Ａ５２０）は、
前記第２のデータ部分を搬送するために割り当てられた前記第２のキャリヤの複数のリソース・ブロック（ＲＢ）に関する情報を、前記第１のキャリヤ又は前記第２のキャリヤで提供するステップ（Ａ６２０）をさらに含み、
前記複数のＲＢに関する情報は、前記第１のキャリヤの物理下り共用チャネル（ＰＤＳＣＨ）若しくは物理下り制御チャネル（ＰＤＣＣＨ）で提供される、又は、前記第２のキャリヤのＰＤＣＣＨで提供される
ことを特徴とする請求項１に記載の方法。
【請求項５】
前記第２のキャリヤを追加として使用すべきでないと判定されると、前記第１のキャリヤ又は前記第２のキャリヤで前記ＤＬデータを送信するステップ（Ａ４４０）をさらに含み、
前記ＤＬデータは、前記第２のキャリヤで送信される際には、前記所定の遅延時間の待機後に送信される
ことを特徴とする請求項１に記載の方法。
【請求項６】
前記第１のキャリヤ又は前記第２のキャリヤで前記ＤＬデータを送信する前記ステップ（Ａ４４０）では、
前記第２のキャリヤのチャネル品質が、前記第１のキャリヤのチャネル品質よりも高いこと、
前記第２のキャリヤの信号対干渉比（ＳＩＲ）が、前記第１のキャリヤのＳＩＲよりも高いこと、
前記第２のキャリヤの受信信号参照電力（ＲＳＲＰ）が、前記第１のキャリヤのＲＳＲＰよりも高いこと、
前記第２のキャリヤのデータ送信レートが、前記第１のキャリヤのデータ送信レートよりも高いこと、
前記第２のキャリヤの誤り率が、前記第１のキャリヤの誤り率よりも低いこと、及び、
前記第２のキャリヤの残りのデータ搬送容量が、前記第１のキャリヤの残りのデータ搬送容量を上回ること
のうちの何れか１つ以上が満たされると、前記ＤＬデータを前記第２のキャリヤで搬送すべきであると判定することを特徴とする請求項５に記載の方法。
【請求項７】
基地局（２１０）であって、
ユーザ装置（２２０）と通信する通信ユニット（９３０）と、
処理ユニット（９１０）であって、
複数の制御信号を前記基地局（２１０）からユーザ装置（２２０）へ提供するために使用される１つ以上のアンカー・キャリヤであって、第１のキャリヤを含む前記１つ以上のアンカー・キャリヤで、前記通信ユニット（９３０）を介してコネクションを確立し、
前記ユーザ装置（２２０）を宛先とするダウンロード（ＤＬ）データを第２のキャリヤで追加として転送すべきか否かを判定し、
前記第２のキャリヤを追加として使用すべきであると判定すると、前記通信ユニット（９３０）を介して、前記第１及び第２のキャリヤで前記ＤＬデータを送信する
前記処理ユニットとを備え、
前記第１のキャリヤにおける送信と第２のキャリヤにおける送信との間に、所定の遅延時間が存在し、
前記処理ユニット（９１０）は、前記第１及び第２のキャリヤで前記ＤＬデータを送信することを、前記通信ユニット（９３０）を介して前記ユーザ装置（２２０）に通知するとともに、前記第２のキャリヤに関する情報を前記第１のキャリヤで提供することによって、前記第１及び第２のキャリヤで前記ＤＬデータを送信する
ことを特徴とする基地局。
【請求項８】
前記第２のキャリヤは、前記１つ以上のアンカー・キャリヤのうちの１つではないことを特徴とする請求項７に記載の基地局。
【請求項９】
前記所定の遅延時間は、前記ユーザ装置（２２０）が前記第２のキャリヤで受信する準備を行うのに十分な時間であることを特徴とする請求項７に記載の基地局。
【請求項１０】
前記処理ユニット（９１０）は、さらに、
前記第２のデータ部分を搬送するために割り当てられた前記第２のキャリヤの複数のリソースブロック（ＲＢ）に関する情報を、前記第１のキャリヤ又は前記第２のキャリヤで提供し、
前記複数のＲＢに関する情報は、前記第１のキャリヤの物理下り共用チャネル（ＰＤＳＣＨ）若しくは物理下り制御チャネル（ＰＤＣＣＨ）で提供される、又は、前記第２のキャリヤのＰＤＣＣＨで提供される
ことを特徴とする請求項７に記載の基地局。
【請求項１１】
前記処理ユニット（９１０）は、
前記第２のキャリヤを追加として使用すべきでないと判定すると、前記第１のキャリヤ又は前記第２のキャリヤで前記ＤＬデータを送信し、
前記ＤＬデータは、前記第２のキャリヤで送信される際には、前記所定の遅延時間の待機後に送信される
ことを特徴とする請求項７に記載の基地局。
【請求項１２】
前記処理ユニット（９１０）は、
前記第２のキャリヤのチャネル品質が、前記第１のキャリヤのチャネル品質よりも高いこと、
前記第２のキャリヤの信号対干渉比（ＳＩＲ）が、前記第１のキャリヤのＳＩＲよりも高いこと、
前記第２のキャリヤの受信信号参照電力（ＲＳＲＰ）が、前記第１のキャリヤのＲＳＲＰよりも高いこと、
前記第２のキャリヤのデータ送信レートが、前記第１のキャリヤのデータ送信レートよりも高いこと、
前記第２のキャリヤの誤り率が、前記第１のキャリヤの誤り率よりも低いこと、及び、
前記第２のキャリヤの残りのデータ搬送容量が、前記第１のキャリヤの残りのデータ搬送容量を上回ること
のうちの何れか１つ以上が満たされると、前記ＤＬデータを前記第２のキャリヤで搬送すべきであると判定することを特徴とする請求項１１に記載の基地局。
【請求項１３】
無線ネットワーク（２００）のユーザ装置（２２０）において、前記無線ネットワークの基地局からダウンロード（ＤＬ）データを受信するための方法であって、
複数の制御信号を前記基地局（２１０）から前記ユーザ装置（２２０）へ提供するために使用される１つ以上のアンカー・キャリヤであって、第１のキャリヤを含む前記１つ以上のアンカー・キャリヤでコネクションを確立するステップ（Ａ１０１０）と、
前記基地局（２１０）から、前記第１のキャリヤで搬送される、第２のキャリヤに関する情報を含む通知を受信するステップ（Ａ１０２０）と、
前記基地局（２１０）が前記ＤＬデータを転送するために前記第２のキャリヤを追加として使用するか否かを、前記通知に基づいて判定するステップ（Ａ１０３０）と、
前記基地局（２１０）が前記第２のキャリヤを追加として使用すると判定されると、前記第１及び第２のキャリヤで前記ＤＬデータを受信するステップ（Ａ１０４０）と
を含み、
前記ＤＬデータの第１の部分が前記第１のキャリヤで受信されるとともに、所定の遅延時間の後に、前記ＤＬデータの第２の部分が前記第２のキャリヤで受信されることを特徴とする方法。
【請求項１４】
前記基地局（２１０）が前記ＤＬデータを転送するために前記第２のキャリヤを代替的に使用するか否かを、前記通知に基づいて判定するステップ（Ａ１０５０）と、
前記基地局（２１０）が前記第２のキャリヤを代替的に使用すると判定された場合、前記所定の遅延時間の後に、前記第２のキャリヤで前記ＤＬデータを受信するステップ（Ａ１０６０）と、
前記基地局（２１０）が前記第２のキャリヤを代替的に使用しないと判定された場合、前記第１のキャリヤで前記ＤＬデータを受信するステップ（Ａ１０７０）と
をさらに含むことを特徴とする請求項１３に記載の方法。
【請求項１５】
前記通知は、前記第１のキャリヤ又は前記第２のキャリヤで搬送されるＤＬデータのために割り当てられた前記第２のキャリヤの複数のリソースブロック（ＲＢ）に関する情報を含み、
前記複数のＲＢに関する情報は、前記第１のキャリヤの物理下り共用チャネル（ＰＤＳＣＨ）若しくは物理下り制御チャネル（ＰＤＣＣＨ）で提供される、又は、前記第２のキャリヤのＰＤＣＣＨで提供される
ことを特徴とする請求項１３に記載の方法。
【請求項１６】
前記第２のキャリヤは、前記１つ以上のアンカー・キャリヤのうちの１つではないことを特徴とする請求項１３に記載の方法。
【請求項１７】
前記所定の遅延時間は、前記ユーザ装置（２２０）が前記第２のキャリヤで受信する準備をするのに十分な時間であることを特徴とする請求項１３に記載の方法。
【請求項１８】
無線ネットワーク（２００）における、基地局（２１０）と複数のキャリヤで通信可能なユーザ装置（２２０）であって、
前記基地局（２１０）と通信する通信ユニット（１１２０）と、
処理ユニット（１１１０）であって、
複数の制御信号を前記基地局（２１０）から前記ユーザ装置（２２０）へ提供するために使用される１つ以上のアンカー・キャリヤであって、第１のキャリヤを含む前記１つ以上のアンカー・キャリヤで、前記通信ユニット（１１２０）を介してコネクションを確立し、
前記基地局（２１０）から前記通信ユニット（１１２０）を介して、前記第１のキャリヤで搬送される、第２のキャリヤに関する情報を含む通知を受信し、
前記基地局（２１０）がダウンロード（ＤＬ）データを転送するために前記第２のキャリヤを追加として使用するか否かを、前記通知に基づいて判定し、
前記基地局（２１０）が前記第２のキャリヤを追加として使用すると判定すると、前記通信ユニット（１１２０）を介して、前記第１及び第２のキャリヤで前記ＤＬデータを受信する
前記処理ユニットと
を備え、
前記ＤＬデータの第１の部分が前記第１のキャリヤで受信されるとともに、所定の遅延時間の後に、前記ＤＬデータの第２の部分が前記第２のキャリヤで受信されることを特徴とするユーザ装置。
【請求項１９】
前記処理ユニット（１１１０）は、さらに、
前記基地局（２１０）が前記ＤＬデータを転送するために前記第２のキャリヤを代替的に使用するか否かを、前記通知に基づいて判定し、
前記基地局（２１０）が前記第２のキャリヤを代替的に使用すると判定した場合、前記所定の遅延時間の後に、前記通信ユニット（１１２０）を介して前記第２のキャリヤで前記ＤＬデータを受信し、
前記基地局（２１０）が前記第２のキャリヤを代替的に使用しないと判定した場合、前記通信ユニット（１１２０）を介して前記第１のキャリヤで前記ＤＬデータを受信する
ことを特徴とする請求項１８に記載のユーザ装置。
【請求項２０】
前記通知は、前記第１のキャリヤ又は前記第２のキャリヤで搬送されるＤＬデータのために割り当てられた前記第２のキャリヤの複数のリソースブロック（ＲＢ）に関する情報を含み、
前記複数のＲＢに関する情報は、前記第１のキャリヤの物理下り共用チャネル（ＰＤＳＣＨ）若しくは物理下り制御チャネル（ＰＤＣＣＨ）で提供される、又は、前記第２のキャリヤのＰＤＣＣＨで提供される
ことを特徴とする請求項１８に記載のユーザ装置。
【請求項２１】
前記第２のキャリヤは、前記１つ以上のアンカー・キャリヤのうちの１つではないことを特徴とする請求項１８に記載のユーザ装置。
【請求項２２】
前記所定の遅延時間は、前記ユーザ装置（２２０）が前記第２のキャリヤで受信する準備をするのに十分な時間であることを特徴とする請求項１８に記載のユーザ装置。